(57)【要約】【課題】  ハンダ付け作業の効率を低下させることなく、使用中断時の電力消費を可能な限り抑え、こて先の寿命を延ばすことを目的とする。【解決手段】  ヒータによって所定の加熱対象部を通常設定温度に加熱することによってハンダを溶融させるハンダ加熱手段と、前記加熱対象部の温度を前記通常設定温度からスリープ設定温度に低下させる指示を入力する入力手段と、前記入力手段から前記指示が入力されると、前記加熱対象部の温度が前記通常設定温度から前記スリープ設定温度に低下するように前記ヒータを制御する温度制御手段とを具備する、という手段を採用する。【選択図】      図１
2006341269.tif 000002
【特許請求の範囲】
【請求項１】
ヒータによって所定の加熱対象部を通常設定温度に加熱することによってハンダを溶融
させるハンダ加熱手段と、
前記加熱対象部の温度を前記通常設定温度からスリープ設定温度に低下させる指示を入
力する入力手段と、
前記入力手段から前記指示が入力されると、前記加熱対象部の温度が前記通常設定温度から前記スリープ設定温度に低下するように前記ヒータを制御する温度制御手段と
を具備することを特徴とするハンダ溶融装置。
【請求項２】
前記入力手段は、操作者が手動入力するための操作手段であり、
前記温度制御手段は、前記操作手段が操作されると前記加熱対象部の温度が前記通常設
定温度から前記スリープ設定温度に低下するように前記ヒータを制御することを特徴とす
る請求項１記載のハンダ溶融装置。
【請求項３】
前記操作手段は、操作キーから構成され、
前記温度制御手段は、前記操作キーが所定時間押し続けられた場合に、前記加熱対象部
の温度が前記通常設定温度から前記スリープ設定温度に低下するように前記ヒータを制御
することを特徴とする請求項２記載のハンダ溶融装置。
【請求項４】
前記入力手段は、前記加熱対象部が特定位置に移動したことを検知すると検出信号を出
力する位置検出センサであり、
前記温度制御手段は、前記位置検出センサから前記検出信号が入力されると、前記加熱
対象部の温度が前記通常設定温度から前記スリープ設定温度に低下するように前記ヒータ
を制御することを特徴とする請求項１記載のハンダ溶融装置。
【請求項５】
前記位置検出センサは、前記特定位置の雰囲気温度を検出する温度センサであり、
前記温度制御手段は、前記温度センサが所定の閾値を越える雰囲気温度を検出した場合
に、前記加熱対象部が前記特定位置に移動したと判断し、前記加熱対象部の温度が前記通
常設定温度から前記スリープ設定温度に低下するように前記ヒータを制御することを特徴
とする請求項４記載のハンダ溶融装置。
【請求項６】
前記位置検出センサは、前記加熱対象部が接触した場合に検出信号を出力する接触検出
センサであり、
前記温度制御手段は、前記接触検出センサから前記検出信号が入力されると前記加熱対
象部が前記特定位置に移動したと判断し、前記加熱対象部の温度が前記通常設定温度から
前記スリープ設定温度に低下するように前記ヒータを制御することを特徴とする請求項４
記載のハンダ溶融装置。
【請求項７】
前記入力手段は、外部の制御装置から制御信号を受信するインタフェースであり、
前記温度制御手段は、前記インタフェースから前記制御信号が入力されると加熱対象部
の温度が前記通常設定温度から前記スリープ設定温度に低下するように前記ヒータを制御
することを特徴とする請求項１記載のハンダ溶融装置。
【請求項８】
前記温度制御手段は、前記加熱対象部の温度が前記通常設定温度から所定のスリープ検
出温度まで低下したことを検出することにより使用状態を判断し、所定のチェック時間に
亘って使用が中断されたと判断した場合には、前記加熱対象部の温度を前記通常設定温度
からスリープ設定温度に低下させるように前記ヒータを制御することを特徴とする請求項
１〜７いずれかに記載のハンダ溶融装置。
【請求項９】
前記温度制御手段は、電源の投入直後における初期チェック時間を、前記チェック時間に基づいて設定される所定時間が所定の固定時間よりも小さい場合は当該固定時間に、また前記所定時間が前記固定時間以上の場合には前記所定時間に設定し、電源の投入後そのまま使用されない場合には、当該加熱対象部の温度を前記初期チェック時間の経過後に前記通常設定温度からスリープ設定温度に低下させるように前記ヒータを制御することを特徴とする請求項８記載のハンダ溶融装置。
【請求項１０】
電子部品を基板上に装着させるためにハンダを溶融させるハンダごて装置であることを
特徴とする請求項１〜９いずれかに記載のハンダ溶融装置。
【請求項１１】
前記加熱対象部がノズルとして構成され、当該ノズルから溶融状態のハンダを吸引・除去するハンダ除去装置であることを特徴とする請求項１〜９いずれかに記載のハンダ溶融装置。
【発明の詳細な説明】
【技術分野】
【０００１】
本発明は、ハンダ溶融装置に関する。
【背景技術】
【０００２】
例えば、特許第３６７００７２号公報には、スリープ状態移行機能を備えたハンダごて装置について開示されている。このハンダごて装置は、使用を中断した場合に省電力状態、すなわち、こて先を加熱するヒータの電力消費を抑える動作状態（スリープ状態）に自動的に移行するものである。この種のハンダごて装置は、こて先の酸化を防いで寿命を延ばすため、また未使用時の電力消費を抑えるために、使用を中断すると一定の条件に基づいて予め設定された時間が経過すると通常使用の動作状態からスリープ状態に移行する。すなわち、従来のハンダごて装置は、スリープ状態に移行する時の条件やスリープ状態における設定温度が予め一義的に設定されている。
【特許文献１】特許第３６７００７２号公報
【発明の開示】
【発明が解決しようとする課題】
【０００３】
しかしながら、上記従来技術は、ハンダごて装置の使用を中断してから所定の設定時間が経過しなければスリープ状態に移行しないため、電力消費を抑えるという課題を完全に解決するものではない。また、上記設定時間を短く設定することで、すぐさまスリープ状態に移行させる方法も考えられるが、この場合、作業者に継続してハンダごて装置を使用する意思があるにも関わらず、少しの時間使用を中断するだけでスリープ状態に移行してしまうため非常にハンダ付け作業の効率が悪くなってしまう。
【０００４】
本発明は、上述する問題点に鑑みてなされたもので、ハンダ付け作業の効率を低下させることなく、使用中断時の電力消費を可能な限り抑え、こて先の寿命を延ばすことを目的とする。
【課題を解決するための手段】
【０００５】
上記目的を達成するために、本発明では、第１の解決手段として、ヒータによって所定の加熱対象部を通常設定温度に加熱することによってハンダを溶融させるハンダ加熱手段と、前記加熱対象部の温度を前記通常設定温度からスリープ設定温度に低下させる指示を入力する入力手段と、前記入力手段から前記指示が入力されると、前記加熱対象部の温度が前記通常設定温度から前記スリープ設定温度に低下するように前記ヒータを制御する温度制御手段とを具備する、という手段を採用する。
【０００６】
また、本発明では、第２の解決手段として、上記第１の解決手段において、前記入力手段は、操作者が手動入力するための操作手段であり、前記温度制御手段は、前記操作手段が操作されると前記加熱対象部の温度が前記通常設定温度から前記スリープ設定温度に低下するように前記ヒータを制御することを特徴とする。
【０００７】
また、本発明では、第３の解決手段として、上記第２の解決手段において、前記操作手段は、操作キーから構成され、前記温度制御手段は、前記操作キーが所定時間押し続けられた場合に、前記加熱対象部の温度が前記通常設定温度から前記スリープ設定温度に低下するように前記ヒータを制御することを特徴とする
【０００８】
また、本発明では、第４の解決手段として、上記第１の解決手段において、前記入力手段は、前記加熱対象部が特定位置に移動したことを検知すると検出信号を出力する位置検出センサであり、前記温度制御手段は、前記位置検出センサから前記検出信号が入力されると、前記加熱対象部の温度が前記通常設定温度から前記スリープ設定温度に低下するように前記ヒータを制御することを特徴とする。
【０００９】
また、本発明では、第５の解決手段として、上記第４の解決手段において、前記位置検出センサは、前記特定位置の雰囲気温度を検出する温度センサであり、前記温度制御手段は、前記温度センサが所定の閾値を越える雰囲気温度を検出した場合に、前記加熱対象部が前記特定位置に移動したと判断し、前記加熱対象部の温度が前記通常設定温度から前記スリープ設定温度に低下するように前記ヒータを制御することを特徴とする。
【００１０】
また、本発明では、第６の解決手段として、上記第４の解決手段において、前記位置検出センサは、前記加熱対象部が接触した場合に検出信号を出力する接触検出センサであり、前記温度制御手段は、前記接触検出センサから前記検出信号が入力されると前記加熱対
象部が前記特定位置に移動したと判断し、前記加熱対象部の温度が前記通常設定温度から
前記スリープ設定温度に低下するように前記ヒータを制御することを特徴とする。
【００１１】
また、本発明では、第７の解決手段として、上記第１の解決手段において、前記入力手段は、外部の制御装置から制御信号を受信するインタフェースであり、前記温度制御手段は、前記インタフェースから前記制御信号が入力されると加熱対象部の温度が前記通常設定温度から前記スリープ設定温度に低下するように前記ヒータを制御することを特徴とする。
【００１２】
また、本発明では、第８の解決手段として、上記第１〜７いずれかの解決手段において、前記温度制御手段は、前記加熱対象部の温度が前記通常設定温度から所定のスリープ検
出温度まで低下したことを検出することにより使用状態を判断し、所定のチェック時間に
亘って使用が中断されたと判断した場合には、前記加熱対象部の温度を前記通常設定温度
からスリープ設定温度に低下させるように前記ヒータを制御することを特徴とする。
【００１３】
また、本発明では、第９の解決手段として、上記第８の解決手段において、前記温度制御手段は、電源の投入直後における初期チェック時間を、前記チェック時間に基づいて設定される所定時間が所定の固定時間よりも小さい場合は当該固定時間に、また前記所定時間が前記固定時間以上の場合には前記所定時間に設定し、電源の投入後そのまま使用されない場合には、当該加熱対象部の温度を前記初期チェック時間の経過後に前記通常設定温度からスリープ設定温度に低下させるように前記ヒータを制御することを特徴とする。
【００１４】
また、本発明では、第１０の解決手段として、上記第１〜９いずれかの解決手段において、電子部品を基板上に装着させるためにハンダを溶融させるハンダごて装置であることを特徴とする。
【００１５】
また、本発明では、第１１の解決手段として、上記第１〜９いずれかの解決手段において、前記加熱対象部がノズルとして構成され、当該ノズルから溶融状態のハンダを吸引・除去するハンダ除去装置であることを特徴とする。
【発明の効果】
【００１６】
本発明によれば、入力手段から加熱対象部の温度を前記通常設定温度からスリープ設定温度に低下させる指示が入力された場合に、加熱対象部の温度を通常設定温度からスリープ設定温度に低下させる温度制御手段を備えるので、上記指示を所望のタイミングで入力することにより、任意にスリープ状態に移行することが可能である。従って、例えば、上記加熱対象部がハンダごてのこて先である場合には、使用中断時に即座にスリープ状態に移行させることで無駄な電力消費を可能な限り抑えることができ、また、こて先の酸化を抑制して寿命を延ばすこともできる。さらに、上記のように任意にスリープ状態に移行することが可能であるので、ハンダ付け作業の効率低下を防止することができる。
【発明を実施するための最良の形態】
【００１７】
以下、図面を参照して、本発明の一実施形態について説明する。なお、本ハンダ溶融装置の一例として、電子部品等を基板上に装着させるためにハンダを溶融させるハンダごて装置について説明する。
【００１８】
図１は、本発明の実施形態に係るハンダごて装置の構成ブロック図である。この図に示すように、本ハンダごて装置は、ワンチップマイコン（温度制御手段）１、こて先（加熱対象部）２、ヒータ３、第１温度センサ４、電源トランス５、サイリスタ６、ゼロクロス検出器７、電源回路８、第１増幅器９、第２温度センサ１０、第２増幅器１１、マルチプレクサ１２、Ａ／Ｄコンバータ１３、スイッチ１４、ブザー１５、バッファアンプ１６、操作パネル１７、表示器１８、操作スイッチ（操作手段）１９、バッファ２０、トランジスタ２１、発振回路２２、リセットスイッチ２３及びＥＥＰＲＯＭ（Electronically Erasable and Programmable Read Only Memory）２４から構成されている。
【００１９】
ワンチップマイコン１は、内部に設けられたＲＯＭ（Read Only Memory）に記憶された制御プログラムに従って、以下に説明する各構成要素の動作を制御する。このワンチップマイコン１としては、上記ＲＯＭやＲＡＭ（Random Access Memory）の他に、各種タイマや入出力インターフェースを備えたものが使用される。
【００２０】
こて先２は、本ハンダごて装置のハンダごて部に設けられたこて先であり、ヒータ３及び第１温度センサ４を備えている。ヒータ３の一端は電源トランス５の２次巻線の一端に接続され、他端はワンチップマイコン１によってＯＮ／ＯＦＦが制御されるサイリスタ６を介して電源トランス５の２次巻線の他端に接続されている。つまり、このヒータ３は、サイリスタ６による電源トランス５の出力電流制御に応じて、こて先２を所定の温度に加熱する。第１温度センサ４は、上記こて先２の加熱温度を検出し、当該加熱温度を示す第１温度検出信号を第１増幅器９に出力する。上記構成要素の内、こて先２、ヒータ３、第１温度センサ４及びサイリスタ６はハンダ加熱手段を構成している。
【００２１】
電源トランス５は、外部から供給される商用電源を低圧し、当該低圧後の交流電圧をヒータ３、ゼロクロス検出器７及び電源回路８に出力する。サイリスタ６は、ワンチップマイコン１によるＯＮ／ＯＦＦ制御によりヒータ３に流れる電源トランス５の出力電流を制御する。ゼロクロス検出器７は、電源トランス５から入力された交流電圧のゼロクロス位置を検出して上記ワンチップマイコン１に出力する。なお、ワンチップマイコン１は、ゼロクロス検出器７が検出した上記ゼロクロス位置に基づいてサイリスタ６のＯＮ／ＯＦＦ制御を行う。
【００２２】
電源回路８は、電源トランス５から入力された交流電圧を整流し、例えば±５Ｖおよび＋３Ｖ等の直流電源電圧を本ハンダごて装置内の各部に供給する。第１増幅器９は、第１温度センサ４から入力される上記第１温度検出信号を増幅してマルチプレクサ１２の一方の選択端子に出力する。
【００２３】
第２温度センサ１０は、第１温度センサ４の冷接点温度を検出し、当該冷接点温度を示す第２温度検出信号を第２増幅器１１に出力する。第２増幅器１１は、上記第２温度検出信号を増幅してマルチプレクサ１２の他方の選択端子に出力する。マルチプレクサ１２は、ワンチップマイコン１の要求に応じて上記第１温度検出信号または第２温度検出信号を択一的にＡ／Ｄコンバータ（アナログ／デジタル変換器）１３に出力する。Ａ／Ｄコンバータ１３は、アナログ信号である入力信号（第１温度検出信号または第２温度検出信号）をデジタル信号に変換してワンチップマイコン１に出力する。
【００２４】
スイッチ１４は、ワンチップマイコン１の要求に応じて電源電圧＋５Ｖと＋３Ｖのいずれかを択一的にブザー１５に出力する。ブザー１５は、ワンチップマイコン１からバッファアンプ１６を介して入力された音声信号と、上記スイッチ１４から択一的に入力された電源電圧によって規定される音量とに基づいて音声を外部に出力する。バッファアンプ１６は、ワンチップマイコン１から入力される音声信号を増幅してブザー１５に出力する。
【００２５】
操作パネル１７は、本ハンダごて装置の操作ボックスに設けられているものであり、複数の表示器１８と操作スイッチ（操作手段）１９によって構成される。表示器１８の各操作端子はバッファ２０を介してワンチップマイコン１に接続されるとともに、共通端子はトランジスタ２１のコレクタ端子に接続される。また、トランジスタ２１の各ベース端子はワンチップマイコン１に接続されており、該ワンチップマイコン１から出力されるベース信号に応じて例えば＋５Ｖの電源電圧を各表示器１８の共通端子に供給するようになっている。また、操作スイッチ１９は、上記各コレクタ端子とワンチップマイコン１との間に介挿され、そのスイッチング操作情報をワンチップマイコン１に出力する。バッファ２０は、ワンチップマイコン１から入力される表示信号のバッファリングを行い、当該表示信号を各操作端子を介して表示器１８に出力する。すなわち、表示器１８は上記表示信号に応じた情報を表示するものである。
【００２６】
図２に、上記操作パネル１７の構成を示す。この図において、符号１９ａは後述する各種設定値を入力する数値入力スイッチであり、該数値入力スイッチ１９ａから入力された設定値は設定数値表示器１８ａに表示される。１９ｂは設定数値表示器１８ａに表示される数値の桁移動を操作する表示桁移動スイッチ、１９ｃは数値入力スイッチ１９ａから入力される数値の入力モードを切り換えるパラメータ切換スイッチ、１９ｄは上記各種設定値を保持するキーロック設定およびその解除を切り換えるキーロックスイッチである。該キーロックスイッチ１９ｄが操作されて当該ハンダごて装置がキーロック設定状態とされると、キーロック設定ランプ１８ｂが点灯する。
【００２７】
符号１８ｃは上記第１温度センサ４によって検出されたこて先２の加熱温度を表示する測定温度表示器、１８ｄは上記ヒータ３への通電時に点灯するヒータ通電表示器、１８ｅは上記加熱温度が数値入力スイッチ１９ａによって設定された範囲を逸脱した場合あるいは該範囲内にある場合に点灯するアラームランプ、１８ｆは本ハンダごて装置の動作モードがオートチューニングモードに設定されている場合に点滅するオートチューニングランプ、１８ｇは当該ハンダごて装置の動作モードがスリープモードに設定されている場合に点灯するスリープ設定ランプである。
【００２８】
本ハンダごて装置は、数値入力スイッチ１９ａにおいて所定の操作が行われることにより、通常使用時におけるこて先２の設定温度に対して該こて先２の温度を低下させて電力消費量を抑えるスリープ状態（省電力状態）に自動的もしくは強制的に移行するように構成されており、符号１８ｈは該スリープ状態となると点灯するスリープランプである。
【００２９】
さらに、図１において、発振回路２２は、ワンチップマイコン１の基本クロック信号を発生し、当該基本クロック信号をワンチップマイコン１に出力する。リセットスイッチ２３は、そのスイッチング操作によってワンチップマイコン１を初期化するためのものである。ＥＥＰＲＯＭ２４は、上記数値入力スイッチ１９ａから入力された各種設定値、キーロックスイッチ１９ｄによるキーロックの設定状態等、当該ハンダごて装置の設定状態を記憶する。
【００３０】
次に、図３〜図５に示すフローチャート及び図６に示すこて先２の温度変化特性を参照し、上記ワンチップマイコン１によるスリープ状態への移行動作について説明する。
【００３１】
なお、本ハンダごて装置を使用するに際し、図６に示すように、本ハンダごて装置の通常使用時におけるこて先２の通常設定温度、スリープ状態の検出の基準となるスリープ検出温度、およびスリープ状態における設定温度であるスリープ設定温度が上記数値入力スイッチ１９ａ等の操作によって予め入力されているものとし、ワンチップマイコン１はこれらの温度を温度データとしてＥＥＰＲＯＭ２４に記憶しているものとする。
【００３２】
また、本ハンダごて装置の使用期間においては、ハンダあるいはハンダ付けを行うプリント基板等の熱容量によってこて先２の温度は低下するが、本ハンダごて装置は使用が中断され、こて先２の温度が上記スリープ検出温度まで回復してからスリープ状態に移行させるまでのチェック時間（ＣＴ）をも数値入力スイッチ１９ａの操作によって任意に設定することができるようになっており、ワンチップマイコン１は該チェック時間（ＣＴ）をチェック時間データとしてＥＥＰＲＯＭ２４に記憶するようになっている。
【００３３】
さて、図３において、本ハンダごて装置に電源が投入されると、ワンチップマイコン１は、以下の制御プログラムの実行に用いられる変数ｉを「０」に初期設定する（ステップＳ1）。そして、ワンチップマイコン１は、上記チェック時間（ＣＴ）の２倍（２ＣＴ）が１０分よりも小さいか否かを判断し（ステップＳ2）、この判断が「ＹＥＳ」の場合は内部に設けられたタイマに初期チェック時間として１０分を設定し（ステップＳ3）、この判断が「ＮＯ」の場合には該タイマに初期チェック時間として２ＣＴを設定する（ステップＳ4）。なお、以下の説明では初期チェック時間として１０分が設定された場合について説明する。
【００３４】
続いて、ワンチップマイコン１は、スリープランプ１８ｈを消灯し、本ハンダごて装置が通常動作状態であることを表示する（ステップＳ5）。そして、ワンチップマイコン１は、上記通常設定温度をＥＥＰＲＯＭ２４から読み出してこて先２の温度制御の基準温度に設定し（ステップＳ6）、サイリスタ６のＯＮ／ＯＦＦ制御を行い、こて先２の温度すなわち温度センサ４によって検出される温度が通常設定温度となるようにヒータ３への通電を制御する（ステップＳ7）。
【００３５】
そして、ワンチップマイコン１は、数値入力スイッチ１９ａの「Δ」キーが３秒間長押しされたか否かを判断し（ステップＳ７ａ）、この判断が「ＹＥＳ」、すなわち作業者が本
ハンダごて装置を強制的にスリープ状態に移行しようとした場合は、ステップＳａのスリープルーチン処理を行う。一方、ステップ７ａにおいて、「ＮＯ」と判断された場合、ワンチップマイコン１はステップＳ８の処理を行う。なお、ステップ７ａにおける判断が「ＹＥＳ」の場合についての説明は後述し、以下では「ＮＯ」と判断された場合について説明する。
【００３６】
ワンチップマイコン１は、操作パネル１７の上記各キーが操作されていないか否かを判断し、（ステップＳ8）、この判断が「ＹＥＳ」すなわち作業者が操作パネル１７操作して本ハンダごて装置の状態を変更しようとしていない場合はステップＳ9の処理に進む。なお、この判断が「ＮＯ」の場合については後述する。
【００３７】
こて先２の温度は、上記ステップＳ7におけるヒータ３の制御の開始とともに徐々に通常設定温度に近づいて上昇する。ワンチップマイコン１は、こて先２の温度が上記スリープ検出温度に到達したか否かを判断し（ステップＳ９）、この判断が「ＹＥＳ」すなわち電源投入後こて先２の温度がスリープ検出温度に一旦到達すると変数ｉを「１」に設定し（ステップＳ10）、さらに上記タイマがタイムアップしたか否かを判断する（ステップＳ11）。
【００３８】
上記ステップＳ１１において、「ＮＯ」と判断された場合、すなわち電源投入から１０分が経過していない場合、ワンチップマイコン１は、タイマに設定された初期チェック時間（１０分）から一定時間、例えば０．１秒〜０．２秒を減算し（ステップＳ12）、上記ステップＳ7の通常設定温度に基づくヒータ３の温度制御以下の各処理を繰り返す。すなわち、ステップＳ7〜ステップＳ12までのループ処理を繰り返すことによりタイマの設定値は順次減少し、該設定値が「０」となったことがステップＳ11において検出されると以下に説明するスリープルーチン（ステップＳa）の処理が行われる。
【００３９】
一方、上記ステップＳ8及びステップＳ9において「ＮＯ」と判断された場合、ワンチップマイコン１は、変数ｉが「１」か否かを判断し（ステップＳ13）、この判断が「ＮＯ」すなわち電源投入後こて先２の温度がスリープ検出温度に一度も到達していない場合、ステップＳ7における通常設定温度に基づくヒータ３の温度制御が繰り返し、また、「ＹＥＳ」と判断した場合、すなわち一旦スリープ検出温度に到達した場合には、以下に説明するＣＴルーチン（ステップＳb）の処理を行う（図４参照）。
【００４０】
以下、図４を用いてＣＴルーチンについて説明する。まず、ワンチップマイコン１は、タイマに上記チェック時間（ＣＴ）が再設定し（ステップＳb1）、続いてスリープランプ１８ｈを消灯する（ステップＳb2）。そして、ワンチップマイコン１は、上記通常設定温度をこて先２の温度制御の基準温度に設定し（ステップＳb3）、該こて先２の温度が通常設定温度となるようにヒータ３への通電を制御する（ステップＳb4）。
【００４１】
さらに、ワンチップマイコン１は、上記ステップＳ７ａと同様に、数値入力スイッチ１９ａの「Δ」キーが３秒間長押しされたか否かを判断し（ステップＳｂ４ａ）、この判断が「ＹＥＳ」、すなわち作業者が本ハンダごて装置を強制的にスリープ状態に移行しようとした場合は、ＣＴルーチンにおける処理を終了してスリープルーチン（ステップＳa）の処理を行う。一方、ステップＳｂ４ａにおいて、「ＮＯ」と判断された場合、ワンチップマイコン１はステップＳｂ５の処理を行う。なお、ステップＳｂ４ａにおける判断が「ＹＥＳ」の場合についての説明は後述し、以下では「ＮＯ」と判断された場合について説明する。
【００４２】
そして、ワンチップマイコン１は、上記ステップＳ8と同様に、操作パネル１７のキーが操作されていないか否かを判断し（ステップＳb5）、この判断が「ＹＥＳ」すなわち作業者が操作パネル１７操作して当該ハンダごて装置の状態を変更しようとしていない場合はステップＳb6に処理が進み、この判断が「ＮＯ」の場合には上記ステップＳb1の処理を繰り返す。
【００４３】
続いて、ワンチップマイコン１は、こて先２の温度が上記スリープ検出温度に到達したか否かを判断し（ステップＳｂ６）、この判断が「ＹＥＳ」すなわち本ハンダごて装置が使用されていない場合は、タイマがタイムアップしたか否かを判断する（ステップＳb7）。なお、上記ステップＳb6において、「ＮＯ」と判断された場合、すなわち当該ハンダごて装置が使用中の場合には、ワンチップマイコン１は、上記ステップＳb1以下の処理を繰り返す。
【００４４】
上記ステップＳb7における判断が「ＮＯ」すなわちチェック時間（ＣＴ）が経過していない場合、ワンチップマイコン１は、該チェック時間（ＣＴ）から０．１秒〜０．２秒の一定時間を減算し（ステップＳb8）、上記ステップＳb4以下の処理を繰り返す。すなわち、ステップＳb4〜ステップＳb8までのループ処理を繰り返すことによりタイマの設定値は順次減少し、該設定値が「０」となったことがステップＳb7において検出されるとＣＴルーチンにおける処理は終了されてスリープルーチン（ステップＳa）の処理が行われる。
【００４５】
次に、図５を用いてスリープルーチンについて説明する。まず、ワンチップマイコン１は、スリープランプ１８ｈを点灯させ、本ハンダごて装置がスリープ状態に移行したことを表示する（ステップＳa1）。そして、ワンチップマイコン１は、上記スリープ設定温度をＥＥＰＲＯＭ２４から読み出し、こて先２の温度制御の基準温度に設定し（ステップＳa2）、こて先２の温度がスリープ設定温度となるようにヒート３の通電制御を行う（ステップＳa3）。このスリープ設定温度は、上記通常設定温度に対して低い温度に設定されるので、こて先２の寿命を延ばすことができると共にヒータ３における電力消費量を低下させることができる。なお、上記スリープ状態中において、操作パネル１７の測定温度表示器１８ｃは、こて先２の温度と、スリープ状態を示す「ＳＬＰ」という文字とを交互に表示している。
【００４６】
そして、ワンチップマイコン１は、操作パネル１７の操作キーが操作されてスリープ状態の解除操作がなされたか否かを判断し（ステップＳa4）、「ＮＯ」と判断した場合はステップＳa3の処理を繰り返し、「ＹＥＳ」と判断した場合には当該スリープルーチンの処理を終了する。
【００４７】
すなわち、本ハンダごて装置では、電源が投入されると初期チェック時間として１０分あるいは作業者によって任意に設定されたチェック時間ＣＴの２倍の時間（２ＣＴ）の長い方が強制的に設定され、そのまま使用されない場合は１０分後あるいは時間２ＣＴ後にスリープ状態に移行する。一方、この１０分あるいは上記時間２ＣＴの間に本ハンダごて装置が使用された場合あるいは操作パネル１７のキー入力操作があった場合にはＣＴルーチンに移行する。
【００４８】
以上のように、本実施形態によれば、所定の操作（「Δ」キーが３秒間長押し）を行うことで強制的にスリープ状態に移行する機能を備えるので、作業者の意思によって任意に本ハンダごて装置をスリープ状態に移行することが可能であり、これにより作業者が本ハンダごて装置の使用を中断する場合には、即座にスリープ状態に移行させることで無駄な電力消費を抑えることが可能であり、また、こて先の酸化を抑制して寿命を延ばすこともできる。さらに、上記のように任意にスリープ状態に移行することが可能であるので、ハンダ付け作業の効率を低下させることはない。
【００４９】
なお、本発明は、上記実施形態に限定されるものではなく、例えば以下のような変形例が考えられる。
【００５０】
（１） 上記実施形態では、強制的にスリープ状態に移行させるために、「Δ」キーを３
秒間長押しにする操作を行ったが、これに限らず、他の操作により強制的にスリープ状態に移行するようにしてももちろん良い。
【００５１】
（２） 上記実施形態では、制御プログラムによってこて先２の温度を制御するように構
成しているが、制御のアルゴリズムは上記フローチャートに限定されるものではなく、また本願発明はこのようなソフトウエア的な手段に限定されるものではなくハードウエア的な手段によって上述の制御を実現しても良い。
【００５２】
（３） 上記実施形態では、操作キーを操作することにより強制的にスリープ状態に移
行するようにしたが、これに限らず、例えばハンダごてのこて台に、こて検出用センサを設け、当該こて台にハンダごてが置かれたことを検出した時に、スリープ状態に移行させるようにしても良い。こて検出用センサは、簡単なスイッチタイプのものから温度センサや赤外線センサのようなものでも良い。
【００５３】
さらに、例えば、本ハンダごて装置をロボットアームに取り付けて生産ラインで使用する場合等、上位の制御装置（外部制御装置）によって本ハンダごて装置が制御される場合は、上記制御装置から所望のタイミングでスリープ状態に移行させる制御信号を本ハンダごて装置に出力することで、任意にスリープ状態に移行させるようにすることも可能である。
【００５４】
（４） 上記実施形態では、ハンダ溶融装置の一例として、ハンダごて装置について説明
したが、これに限らず、こて先２がノズルとして構成され、当該ノズルから溶融状態のハンダを吸引・除去するハンダ除去装置にも上述したようなスリープ状態移行機能を持たせることが可能である。
【図面の簡単な説明】
【００５５】
【図１】本発明に係わるハンダごて装置の一実施形態を示す構成ブロック図である。
【図２】本発明に係わるハンダごて装置における操作パネル１７の構成例を示す図である。
【図３】本発明に係わるハンダごて装置の動作を示すフローチャートである。
【図４】上記図３に示すフローチャートにおけるＣＴルーチンの処理を示すフローチャートである。
【図５】上記図３に示すフローチャートにおけるスリープルーチンの処理を示すフローチャートである。
【図６】本発明に係わるハンダごて装置のこて先温度の変化を示すグラフである
【符号の説明】
【００５６】
１…ワンチップマイコン、２…こて先、３…ヒータ、４…第１温度センサ、５…電源トランス、６…サイリスタ、７…ゼロクロス検出器、８…電源回路、９…第１増幅器、１０…第２温度センサ、１１…第２増幅器、１２…マルチプレクサ、１３…Ａ／Ｄコンバータ、１４…スイッチ、１５…ブザー、１６…バッファアンプ、１７…操作パネル、１８…表示器、１９…操作スイッチ、２０…バッファ、２１…トランジスタ、２２…発振回路、２３…リセットスイッチ、２４…ＥＥＰＲＯＭ
【図１】
2006341269.tif 000003
【図２】
2006341269.tif 000004
【図３】
2006341269.tif 000005
【図４】
2006341269.tif 000006
【図５】
2006341269.tif 000007
【図６】
2006341269.tif 000008